(57)【要約】【課題】屋外側からの挿入等の不正な解錠を防止することのできるサムターンを得て、もって、施錠装置の不正解錠防止機能の向上を図る。【解決手段】錠箱機構部に回動操作力を入力するサムターン軸３を回動自在に支持し扉２側に固設される固定筒４と、サムターン軸３の端部に固着され開口部９ａを備える可動筒９と、固定筒４に連結され、可動筒９の周囲を覆う筒状の化粧リング５と、支軸１３を介して可動筒９の開口部９ａに回動自在に設けられるとともに、裏面に磁性体１６を備えた摘み部材１１と、摘み部材１１の表面を可動筒９の開口部９ａに沿わせ、開口部９ａを塞いだ状態で回動を規制する規制手段と、規制手段の規制を解除し、摘み部材１１を回動自在とするスライダ片２５と、可動筒９内に設けられ、磁性体１６に吸着し、摘み部材１１の略半部を突出状態で保持する磁石よりなる保持手段２９とを具備している。【選択図】      図２
2004332361.tif 000002
【特許請求の範囲】
【請求項１】
錠箱機構部に回動操作力を入力するサムターン軸と、
該サムターン軸を回動自在に支持し、扉の屋内面側に固設される固定筒と、
前記サムターン軸の端部に固着され屋内側に向く開口部を備える可動筒と、
前記固定筒に連結されて、前記扉の屋内面側に突出し、前記可動筒の周囲を覆う筒状の化粧リングと、
該可動筒の直径方向の支軸を介して該可動筒の開口部に回動自在となって設けられるとともに、裏面に磁性体を備えた摘み部材と、
前記摘み部材の表面を前記可動筒の開口部に沿わせ、該開口部を塞いだ状態で該摘み部材の回動を規制する規制手段と、
前記規制手段による前記摘み部材の規制を解除し、前記摘み部材を回動自在とする解除手段と、
前記可動筒内に設けられ、前記磁性体に吸着し、前記摘み部材の板面を前記サムターン軸の軸線方向と略平行となるように保持する磁石よりなる保持手段と、
を具備したことを特徴とするサムターン。
【請求項２】
前記規制手段が、前記可動筒内に設けられ前記摘み部材に当接するストッパ段部と、前記摘み部材の端縁より進退自在に配設され前記可動筒の側部に係止する係止杆とで構成されるとともに、前記解除手段が、前記摘み部材の表面に設けられ前記係止杆に連結されるスライダ片より構成されることを特徴とする請求項１記載のサムターン。
【請求項３】
前記係止杆には、前記可動筒の側部への係止を保つ付勢手段を具備することを特徴とする請求項２記載のサムターン。
【発明の詳細な説明】
【０００１】
【発明の属する技術分野】
本発明は、扉などの開閉体に内蔵された錠箱機構部に対し回転による操作力を入力し、錠箱内に設けたロック部材を開閉体枠に対して進退動作させるサムターンに関する。
【０００２】
【従来の技術】
従来、サムターン付きの施錠装置は、扉などの開閉体に錠箱が内蔵され、錠箱には、開閉体の屋外側に露出するシリンダー錠と、開閉体の屋内側に露出する回転式のサムターンとが設けられている。
【０００３】
錠箱には、ロック部材である例えばデッドボルトが開閉体の端面（木口）から進退自在に設けられている。
この種の施錠装置では、屋外側に露出したシリンダー錠の鍵孔に、合鍵（キー）を挿入して回転操作することによって、開閉体の木口よりデッドボルトが進退され、建物躯体側の開閉体枠である開口枠体に設けたストライクに対して施解錠が行われるようになっている。
また、屋内側からは、下記特許文献１に示されるような翼板形状のサムターンの摘みが回転操作されるのみで、デッドボルトが進退され、開閉体の施解錠が簡便に行えるようになっている。
【０００４】
【特許文献１】
特公平２−１５７１５号公報  （第１図ａ，第１図ｃ）
【０００５】
【発明が解決しようとする課題】
近年、マンションや住宅の玄関扉等の開閉体、あるいはこれら玄関扉等の開閉体近傍における開口枠体の周囲である壁部分に、高級感や優美性を高める目的で、ガラス板を嵌め込んだ小窓付のものが多用されるようになってきている。
ところが、このような開閉体の小窓や壁部分の小窓では、ガラス板が割られると、外部から、手を差し入れてサムターンを不正に操作したり、先端を鉤状に曲げた針金等を挿入して、サムターンが不正に操作されてしまう虞れがある。
【０００６】
一般的に、扉に多用される回転式のサムターンは、屋内側に露出する摘み部の翼板部に針金の鉤状先端等を掛止し、回転モーメントを与えることにより不正な解錠操作が可能となる場合がある。
【０００７】
また、サムターンは、小窓の無い開閉体においても、針金を挿入する隙間や孔などが開閉体自体あるいは壁部分にあれば、同様に不正解錠される虞れがあった。
【０００８】
本発明は上記状況に鑑みてなされたもので、屋外側からの挿入等の不正な解錠を防止することのできるサムターンを提供し、もって、施錠装置の不正解錠防止機能の向上を図ることを目的とする。
【０００９】
【課題を解決するための手段】
次に、上記の課題を解決するための手段を、実施の形態に対応する図面を参照して説明する。
この発明の請求項１記載のサムターンは、錠箱機構部に回動操作力を入力するサムターン軸３と、
該サムターン軸３を回動自在に支持し、扉２の屋内面２ａ側に固設される固定筒４と、
前記サムターン軸３の端部に固着され屋内側に向く開口部９ａを備える可動筒９と、
前記固定筒４に連結されて、前記扉２の屋内面２ａ側に突出し、前記可動筒９の周囲を覆う筒状の化粧リング５と、
該可動筒９の直径方向の支軸１３を介して該可動筒９の開口部９ａに回動自在となって設けられるとともに、裏面に磁性体１６を備えた摘み部材１１と、
前記摘み部材１１の表面を前記可動筒９の開口部９ａに沿わせ、該開口部９ａを塞いだ状態で該摘み部材１１の回動を規制する規制手段と、
前記規制手段による前記摘み部材１１の規制を解除し、前記摘み部材１１を回動自在とする解除手段２５と、
前記可動筒９内に設けられ、前記磁性体１６に吸着し、前記摘み部材１１の板面を前記サムターン軸３の軸線方向と略平行となるように保持する磁石よりなる保持手段２９と、
を具備したことを特徴とする。
【００１０】
このサムターンでは、摘み部材１１の操作時、解除手段２５をまず操作し、規制手段による回動の規制を解き、摘み部材１１を押すことで、摘み部材１１が可動筒９内で回動し、回動側の一端が可動筒９から突出して、摘み部材１１の操作が可能となる。一方、通常状態では、摘み部材１１を可動筒９に収容して可動筒９および化粧リング５から突出させないことで、摘み部材１１の操作が不能となる。
したがって、扉２等に設けた小窓を割り外部から手を差し入れたり、或いは扉と扉枠の隙間から針金等を差し入れることによりサムターン１を不正に操作しようとしても、摘み部材１１の正しい操作を行うことが出来ず操作力を錠箱機構部に入力して解錠を行うことができず、施錠装置の防犯性が高まる。
【００１１】
請求項２記載のサムターンは、前記規制手段が、前記可動筒９内に設けられ前記摘み部材１１に当接するストッパ段部２７と、前記摘み部材１１の端縁より進退自在に配設され前記可動筒９の側部に係止する係止杆２１とで構成されるとともに、前記解除手段が、前記摘み部材１１の表面に設けられ前記係止杆２１に連結されるスライダ片２５より構成されることを特徴とする。
【００１２】
このサムターン１では、摘み部材１１の表面に位置するスライダ片２５をスライド操作することで、これに連結される係止杆２１がスライドし、可動筒９との係止状態を解除される。このような係止杆２１と可動筒９との互いの係合状態と、ストッパ段部２７とにより、摘み部材１１の開口部９ａを塞いだ状態は、確実なものとなり、不正な操作に対して確実に防ぐことが可能となり、防犯性が高まる。また、摘み部材１１による施解錠操作を可能とする状態とするには、摘み部材１１を回動させる以前に、スライドさせる操作が必要となり、不正な操作に対しての防犯性を高めることが可能となる。
【００１３】
請求項３記載のサムターンは、前記係止杆２１には、前記可動筒９の側部への係止を保つ付勢手段２３を具備することを特徴とする。
【００１４】
このサムターン１では、係止杆２１が、付勢手段２３により確実に可動筒９へ係止状態が保たれ、この係止状態を解除するには、その付勢力に抗する操作を必要とする。このことから、不正な操作でサムターン１を操作しようとしても、容易に解除できるものではなく、防犯性を高めることが可能となる。
【００１５】
【発明の実施の形態】
以下、本発明に係るサムターンの好適な実施の形態を図面を参照して詳細に説明する。
図１は本発明に係るサムターンの一実施の形態の分解斜視図、図２は同サムターンの側断面図、図３は同サムターンの斜視図、図４は摘み部材の操作手順を（ａ）〜（ｄ）に示した説明図である。
【００１６】
扉２には図示しない錠箱を設けてあり、この錠箱はラッチボルト、デッドボルト、及びこれらを扉の木口から進退させる錠箱機構部を内設している。扉２は屋内側の面２ａにサムターン１を備えている。上記した錠箱のデッドボルトは、扉２の屋外側の面に設けたシリンダー錠をキーによって、又はこのサムターン１を回動することによって扉木口から進退可能となる。
【００１７】
サムターン１は、錠箱機構部に回動操作力を入力するサムターン軸３を有している。
サムターン軸３は、扉２の屋内面２ａ側、好ましくは錠箱側面に固定した筒状の固定筒４に軸受６を介し回動自在に支持される。そして扉２内に配置される先端３ａが、錠箱機構部に連動連結される。なお、サムターン軸３は、中途にＥリング７などが配設されることにより、固定筒４に対し抜脱不能とされる。
【００１８】
固定筒４には、化粧リング５が連結される。化粧リング５は、扉２の屋内面２ａ側に突出する。固定筒４と化粧リング５との連結構造としては、図２に示すように、固定筒４の先端に取り付けられたフランジ８ａを備えた支持筒８と化粧リング５の後端に形成された縁部５ａとの間に圧縮コイルバネよりなる付勢部材１２を介して連結される。化粧リング５は、付勢部材１２の付勢力により、固定筒４の後端４ａの方向に付勢され、後端側外縁５ｂが扉２に密着するようになっている。
【００１９】
サムターン軸３の屋内側の端部には、一端側である屋内側に向く開口部９ａを備えた可動筒９を固着している。可動筒９は、化粧リング５の内側に遊嵌して、この化粧リング５に周囲を覆われるように配置されて、回動自在となる。
可動筒９は、底板部１０をサムターン軸３の端面に固着してサムターン軸３と一体となる。また、サムターン軸３と可動筒９とは、無垢の円柱材から切削して形成する他、一体の成形品として形成してもよい。
【００２０】
本実施の形態では、可動筒９の開口部９ａは、サムターン軸３の軸線を中心とする略円形開口となっており、すなわち可動筒９は略円筒形状となっている。
可動筒９の開口部９ａ近傍の側面部には、係合孔１４が１個所穿設されている。また、本実施の形態では、可動筒９内の底部である底板部１０に、図１，２に示すような凹部１０ａが形成される。この凹部１０ａは、後述する摘み部材１１が動作した際の逃げとなる。
【００２１】
可動筒９の円形開口部９ａには、略円板状の摘み部材１１を配設している。
摘み部材１１は、可動筒９の直径方向の支軸１３を介して可動筒９の内部に回動自在となっている。したがって、摘み部材１１は、支軸１３を中心とした回動によって、図４（ｃ）に示すように水平方向に姿勢することで可動筒９から略半分が外方へ突出し、また、図４（ａ）に示すように垂直方向に姿勢することで可動筒９の開口部９ａに沿い、開口部９ａを塞いだ状態で位置して可動筒９に収容可能となっている。なお、この摘み部材１１の支軸１３の位置と上記係合孔１４の位置とは、中心軸線に対して略９０度間隔とされる。
【００２２】
また、この摘み部材１１には、可動筒９の開口部９ａに沿い塞いだ状態の可動筒９の内方を向く裏面に、磁性体を素材として形成された裏板１６が固定されている。この裏板１６は、摘み部材１１本体の裏面に凹設される溝１８を塞いでいる。
【００２３】
この摘み部材１１裏面の凹溝１８は、摘み部材１１の支軸１３の方向と直交する方向を長手方向として形成される。この凹溝１８には、規制部材を構成する係止杆２１が摺動自在に設けられる。係止杆２１の先端は、略くさび状に形成されてラッチ部２２を構成し、摘み部材１１の端縁より突出している。係止杆２１は、凹溝１８内に設けられる付勢手段としての圧縮コイルバネ２３にて、先端のラッチ部２２が常に突出するよう付勢されている。この突出するラッチ部２２は、可動筒９の開口部９ａ近傍の側面部に穿設された係合孔１４に嵌入し、係合する。
【００２４】
係止杆２１には、摘み部材１１の表面より突出する解除手段としてのスライダ片２５が設けられている。本実施の形態では、スライダ片２５は係止杆２１と一体構造とされており、摘み部材１１の表面に貫通形成され凹溝１８と連通する通し孔１１ｃを介して表面より突出する。また、このスライダ片２５は、摘み部材１１の回動上端１１ａ側の半部に配置される。したがって、摘み部材１１の表面より、このスライダ片２５を操作することで、係止杆２１を摺動移動させることが可能となる。すなわち、圧縮コイルバネ２３の付勢力に抗して、係止杆２１をスライドさせることで、係止杆先端のラッチ部２２が後退することとなる。
【００２５】
可動筒９の内部にはストッパ部１５を備えている。ストッパ部１５は、図１，２に示すように、可動筒９内周面より突出して断面視略Ｌ字形に形成してあり、一方の水平端面１５ａが水平方向に姿勢した摘み部材１１の回動上端１１ａ裏面に当接し、水平端面１５ａと直角をなす垂直端面１５ｂが規制手段を構成するストッパ段部２７とされ垂直方向に姿勢した摘み部材１１の回動下端１５ｂ裏面に当接する。
したがって、ストッパ部１５は、可動筒に収容状態の摘み部材１１にストッパ段部が当接し、かつ回動によって可動筒から突出した摘み部材１１に当接してそれ以上の回動を規制するようになっている。
【００２６】
ストッパ部１５の水平端面１５ａには、保持手段２９が配設される。この保持手段２９は、永久磁石などの磁石よりなり、摘み部材１１裏面の裏板１６を吸着保持する。すなわち、図２中二点鎖線、および図４（ｃ）に示すように、摘み部材１１が支軸１３を中心として回動した際に、水平方向に姿勢し、可動筒９から略半分が外方へ突出した状態を保持するようになる。
【００２７】
次に、このサムターン１の使用方法を説明する。
サムターン１は、通常時、図４（ａ）に示すように、係止杆２１先端のラッチ部２２が可動筒９０係合孔１４に嵌入して係合状態となり、摘み部材１１の回動下端１１ｂがストッパ部１５のストッパ段部２７に当接し、可動筒９に係止し、この可動筒９に収容状態となっている。
したがって、この状態で摘み部材１１は、その表面が、可動筒９の開口部９ａと同一面となって突出せず、また、扉面２ａに平行な状態となっており、回動操作が行えない。
【００２８】
一方、垂直方向に姿勢した摘み部材１１表面の上半部に位置するスライダ片２５を圧縮コイルバネ２３の付勢力に抗して下方向にスライド（図４（ｂ）矢印ａ）させ、係止杆２１先端と係合孔１４との係合状態を解除すると、あるいは、このスライド操作とともに、この表面の回動上端１１ａを図４（ｂ）の矢印ｂ方向に押すと、摘み部材１１が支軸１３を中心に回動する（図４（ｃ）矢印ｃ）。
【００２９】
なお、本実施の形態では、スライダ片２５の位置を摘み部材１１の上半部に配置するとともに、摘み部材１１の表面から大きく突出しない形状としたので、係止杆２１の解除のための操作が、手指にてスライダ片２５を摘み、スライドさせる操作ではなく、指先でスライダ片２５を押さえながらスライドさせる操作となり、このことから、摘み部材１１には、回動上端１１ａ側上半部が可動筒９内方向に押される作用が発生し、すなわち、スライダ片２５のスライド操作を行うことで、摘み部材１１の回動上端１１ａ側を押し込む操作となり、この摘み部材１１の回動を容易なものとしている。
【００３０】
この回動では、図４（ｃ）に示すように、摘み部材１１の回動上端１１ａが可動筒９内へ倒れて進入し、回動下端１１ｂが手前に突出して、摘み部材１１が略水平方向となる。すなわち、摘み部材１１の板面がサムターン軸３の軸線方向と略平行となるように、回動下端１１ｂ側の略半部が略水平に突出状態となる。略水平となった摘み部材１１は、回動上端１１ａ裏面の磁性体よりなる裏板１６が保持手段２９である磁石に吸着して位置保持される。
【００３１】
このようにして摘み部材１１が可動筒９から突出したなら、摘み部材１１の突出部分を手指で摘み、可動筒９とともに図４（ｄ）の矢印ｄ方向に回動する。この結果、摘み部材１１は、図４（ｄ）に示す向きとなる。これにより、サムターン軸３を介して回動操作力が錠箱機構部に入力されることとなって、錠箱のデッドボルトが扉木口から進退して、施錠装置の施解錠が錠可能となる。
【００３２】
また、可動筒９から突出状態の摘み部材１１を、可動筒９に収容させるには、摘み部材１１の突出部分を手指にて、上記の逆方向に、すなわち磁石２９にて吸着保持されている状態を解除させて、摘み部材１１を回動させることで行われる。そして、摘み部材１１の回動により、係止杆２１先端のラッチ部２２が可動筒９の係合孔１４に嵌入し、同時にストッパ段部２７に当接することで、摘み部材１１は可動筒９の開口部９ａに沿い、この開口部９ａを塞いだ状態となって収容となる。
【００３３】
このように、上記のサムターン１によれば、通常状態では摘み部材１１を可動筒９の内部に収容して可動筒９から突出させないことで、摘み部材１１の操作を不能にすることができる。この結果、玄関扉などの小窓や、その周囲の壁部分に配設される小窓などのガラス板が割られ、外部から手を差し入れてサムターン１を不正に解錠操作したり、或いは扉と扉枠の隙間などから針金等を差し入れることによりサムターン１を不正に操作しようとしても、摘み部材１１が突出していないことから、目視ではない手さぐりの状態でサムターン１を捜し当てることが容易ではなくなり、さらには、化粧リング５にて覆われる構造であり、この化粧リング５外表面によって針金等が滑ることとなり、そして、操作力を錠箱機構部に入力して解錠を行うことができず、施錠装置の防犯性を向上させることができる。
【００３４】
また、係止杆２１と係合孔１４との係合により、摘み部材１１を可動筒９の開口部９ａに沿わせこの開口部９ａを閉塞する状態とさせることで、摘み部材１１を可動筒９に収容状態に位置保持することができるので、摘み部材１１が突出せず、防犯性を向上させることができる。また、保持手段の磁石２９の吸着力により、摘み部材１１を吸着保持させることで、摘み部材１１を可動筒９からの突出状態に位置保持することができるので、摘み部材１１は突出状態を維持でき操作性を低下させることがない。
【００３５】
さらに、通常時には摘み部材１１が可動筒９に収容されるので、突出部分がなくなり、扉２としての意匠性も向上させることができる。
【００３６】
なお、摘み部材１１は、スライダ片２５の近傍或いはスライダ片２５自体に、スライド方向を示す矢印などを印刷あるいは刻印により設けることが好ましく、さらには、回動上端１１ａの表面に「ＰＵＳＨ」や「押す」などの文字の印刷、刻印による標示を設けることとしても良い。このような標示を設けることで、予め、その操作を視認することができ、サムターン１の操作を誤ることなく、また、押し込み側を間違えて逆側（回動下端１１ｂ）を押してしまう押し間違いをなくし、操作性を向上させることができる。
【００３７】
なお、上述した実施の形態では、係止杆２１先端のラッチ部２２の突出する方向を、摘み部材１１の回動上端１１ａ側とした例について述べたが、回動下端１１ｂ側に突出する構造としてもよい。すなわち、摘み部材１１の表面に位置するスライダ片２５のスライド方向を変え、摘み部材１１の押し込む方向をスライド方向と略同方向とするような構成とする。これにより、摘み部材１１の半部を突出させる操作が、可動筒９内に指を押し込むような操作となり、摘み部材１１を摘もうとする操作に連携し易くなる。
【００３８】
また、上述した実施の形態では、解除手段であるスライダ片２５を、図１に示すように、略矩形状に形成され係止杆２１と一体構造とした例について述べたが、係止杆とスライダ片とを別体構造としてもよく、例えば、図５，６に示すように、スライダ片２５の形状を薄い円板状に形成し、係止杆２１に連結凸部２１ａを設け、この連結凸部２１ａにスライダ片２５を、摘み部材１１の表面部分を介在させて固着する構造としても良い。この構造によれば、図６に示すように摘み部材１１が可動筒９の開口部９ａを塞いだ状態では、この可動筒９の屋内側から見た状態が、一様に平板状となり、さらにサムターン１としての形状の不明確さが表現でき、手さぐりによる操作を困難なものとすることが可能となる。そして、このような形状のスライダ片２５とした場合に、その表面に、上記と同様に、その操作方向を示す矢印などを印刷あるいは刻印により設けることが好ましく、正規に使用する者の操作性を向上させることが可能となる。
【００３９】
【発明の効果】
以上説明したように、請求項１に係るサムターンによれば、摘み部材の操作時、解除手段をまず操作し、規制手段による回動の規制を解き、摘み部材を押すことで、摘み部材が可動筒内で回動し、回動側の一端が可動筒から突出して、保持手段により摘み部材の板面がサムターン軸の軸線方向と略平行となって摘み部材の操作が可能となる。一方、通常状態では、摘み部材を可動筒に収容して規制手段によって可動筒から突出させないことで、摘み部材の操作を不能にすることができる。
【００４０】
この結果、玄関扉などの小窓や、その周囲の壁部分に配設される小窓などのガラス板が割られ、外部から手を差し入れてサムターンを不正に解錠操作したり、或いは扉と扉枠の隙間等から針金等を差し入れることによりサムターンを不正に操作しようとしても、摘み部材が突出していないことから、目視ではない手さぐりの状態でサムターンを捜し当て操作することが容易ではなくなり、摘み部材の正しい操作を行うことが出来ず、操作力を錠箱機構部に入力して解錠を行うことができず、施錠装置の防犯性を向上させることができる。
【００４１】
また、摘み部材を可動筒に収容状態とすることで、摘み部材の不要な突出がなくなり、扉としての意匠性も向上させることが可能となる。
【００４２】
請求項２に係るサムターンでは、摘み部材の表面に位置するスライダ片をスライド操作することで、これに連結される係止杆がスライドし、可動筒との係止状態を解除される。このような係止杆と可動筒との互いの係合状態と、ストッパ段部とにより、摘み部材の開口部を塞いだ状態は、確実なものとなり、不正な操作に対して確実に防ぐことが可能となり、防犯性が高まる。また、摘み部材による施解錠操作を可能とする状態とするには、摘み部材を回動させる以前に、スライドさせる操作が必要となり、不正な操作に対しての防犯性を高めることが可能となる。
【００４３】
請求項３に係るサムターンでは、係止杆が、付勢手段により確実に可動筒へ係止状態が保たれ、この係止状態を解除するには、その付勢力に抗する操作を必要とする。このことから、不正な操作でサムターンを操作しようとしても、容易に解除できるものではなく、防犯性を高めることが可能となる。
【図面の簡単な説明】
【図１】本発明に係るサムターンの一実施の形態の分解斜視図である。
【図２】同サムターンの側断面図である。
【図３】同サムターンの斜視図である。
【図４】摘み部材の操作手順を（ａ）〜（ｄ）に示した説明図である。
【図５】本発明のサムターンの他の実施の形態の一部拡大分解斜視図である。
【図６】同側断面図である。
【符号の説明】
１…サムターン
２…扉
３…サムターン軸
４…固定筒
５…化粧リング
９…可動筒
９ａ…開口部
１１…摘み部材
１３…支軸
１６…磁性体（裏板）
２１…規制手段（係止杆）
２３…付勢手段
２５…解除手段（スライダ片）
２７…規制手段（ストッパ段部）
２９…保持手段（磁石）
【図１】
2004332361.tif 000003
【図２】
2004332361.tif 000004
【図３】
2004332361.tif 000005
【図４】
2004332361.tif 000006
【図５】
2004332361.tif 000007
【図６】
2004332361.tif 000008